(57)【特許請求の範囲】
【請求項１】
レンズユニットに用いる遮光体の製造方法であって、
前記遮光体は、中央に開口部を有し、前記開口部の内面はテーパーを有し、
遮光フィルムの背面に補助シートを接着する工程と、
前記補助シートに接着した前記遮光フィルムを切削して前記遮光体を形成する工程と、
前記補助シートを湾曲させて前記遮光体を前記補助シートから離脱させる工程と、からなり、
前記遮光体を形成する工程において、前記開口部は前記テーパーに合わせた刃角を有するバイトを円状に回転して切削して形成することを特徴とする、遮光体の製造方法。
【発明の詳細な説明】
【技術分野】
【０００１】
本発明は、小型カメラのレンズユニットに用いる遮光体の製造方法に関するものである。
【背景技術】
【０００２】
近年、携帯電話やスマートフォンには小型カメラが内蔵されている。
この小型カメラのレンズユニットは、光軸上に並べる複数枚のレンズＡと、レンズＡ間に配置する遮光体Ｂ（絞り）と、からなる。（図５）
遮光体Ｂは円状の開口部Ｃを有する。
【発明の概要】
【発明が解決しようとする課題】
【０００３】
通常、開口部Ｃの内面は光軸に対して平行である。
このため、レンズユニットに入光した光の一部が内面で乱反射して受光部に入り込み、画像が不鮮明となってしまうことがあった。
【０００４】
本発明は、鮮明な画像で撮影することができる、レンズユニットに用いる遮光体およびその製造方法を提供することを目的とする。
【課題を解決するための手段】
【０００５】
上記目的を達成するためになされた本願の第１発明は、レンズユニットに用いる遮光体の製造方法であって、前記遮光体は、中央に開口部を有し、前記開口部の内面はテーパーを有し、遮光フィルムの背面に補助シートを接着する工程と、前記補助シートに接着した前記遮光フィルムを切削して前記遮光体を形成する工程と、前記補助シートを湾曲させて前記遮光体を前記補助シートから離脱させる工程と、からなり、前記遮光体を形成する工程において、前記開口部は前記テーパーに合わせた刃角を有するバイトを円状に回転して切削して形成することを特徴とする、遮光体の製造方法を提供する。
【発明の効果】
【０００６】
本発明は、上記した課題を解決するための手段により、次のような効果の少なくとも一つを得ることができる。
（１）遮光体の開口部の内面にテーパーをつけることにより、内面での反射光が受光部に入り込むことがなく、鮮明な画像で撮影することができる。
（２）補助シートに接着した遮光フィルムを切削加工するため、薄い遮光フィルムであっても精度良く加工することができる。
（３）薄い遮光フィルムを遮光体とすることにより、レンズユニットの薄型化・軽量化が可能となる。
【図面の簡単な説明】
【０００７】
【図１】本発明の遮光体の説明図
【図２】本発明の遮光体の断面図
【図３】本発明の遮光体を用いたレンズユニットの説明図
【図４】本発明の遮光体に製造方法の説明図
【図５】従来のレンズユニットの説明図
【発明を実施するための形態】
【０００８】
以下、図に示す実施例に基づき、本発明を詳細に説明する。
【実施例】
【０００９】
［１］レンズユニット用遮光体の構成
＜１＞遮光体。
本発明の遮光体１は、携帯電話やスマートフォンに内蔵する小型カメラのカメラユニットに使用するものである。
遮光体１は遮光用プラスチック製の遮光フィルムからなり、厚みは０．０６〜０．０２５ｍｍである。（図１）
遮光体１の外形はレンズユニットに合わせた円板状となる。
遮光体１の中央には円状の開口部２を設ける。
【００１０】
＜２＞開口部。
開口部２は遮光体１の一方の面１ａから他方の面１ｂまで穿設する。（図２）
開口部２の径は、一方の面１ａから他方の面１ｂに向かうに従って大きくなるように、内面２１にテーパーをつけて形成する。テーパー角は３０度〜６０度とする。
【００１１】
＜３＞レンズユニット。
本発明の遮光体１を用いたレンズニットは、光軸上に１枚または複数枚のレンズ３を並べ、同じ光軸上にレンズ３と並列して遮光体１を配置するものである。
遮光体１は薄い遮光フィルムからなるため、レンズユニットは薄型かつ軽量とすることができる。
【００１２】
＜３−１＞遮光体の配置。
遮光体１は開口部２の中心を光軸に合わせる。
このとき、遮光体１は開口部２の内面２１のテーパーが受光部方向に狭まるように配置する。
このように構成することにより、内面２１が入光部方向に向くことになり、内面２１での反射光が受光部に入り込むことがなく、より鮮明な画像を撮影することができる。
【００１３】
［２］レンズユニット用遮光体の製造方法。
（１）補助シートの貼り合わせ。（図４ａ）
遮光体１を構成する遮光フィルム４の背面に補助シート５を貼り合わせる。
補助シート５はＰＥＴＰ系のシート材であり、アクリル系感圧接着やＵＶ系接着など、適宜シートの材質および接着方法を選択することができる。
補助シート５の厚みは０．１ｍｍ以上が好適である。
【００１４】
（２）遮光フィルムの切削。（図４ｂ）
貼り合わせて重合した遮光フィルム４および補助シート５のうち、遮光フィルムのみを切削して、遮光体１を形成する。
遮光体１は切削により外周および開口部２を切削して形成するが、これらは同時に切削しても良いし、別の工程で切削してもよい。
開口部２の内面２１はテーパーをつけるため、テーパー角に合わせた刃角を有するバイト６を使用して開口部２を切削して形成する。開口部２は円形であるため、バイト６を円状に回転することにより、開口部２を容易に形成できる。
遮光フィルム４と補助シート５は貼り合わせてあり、遮光フィルム４のみを切削するため、切削形成した遮光体１は補助シート５に貼り付いたままである。
遮光フィルム４は０．０６〜０．０２５ｍｍと薄いものであるため、単体で切削した場合には要求寸法を満足することができないおそれがある。
しかし、本願においては遮光フィルム４をサポートとなる補助シート５に貼り合わせて固定してあるため、薄い遮光フィルム４であっても高い精度で加工することができる。
【００１５】
（３）遮光体の回収。（図４ｃ）
補助シート５を遮光フィルム４が外側となるように湾曲すると、遮光フィルム４も同時に湾曲するが、遮光体１は円形状に切削されているため、遮光体１は反発弾性により補助シート５から剥がれて離脱する。
そして、静電気除去ファン７によって補助シート５から剥がれた遮光体１を飛ばして、吸引機８にて吸引して回収する。
静電気除去ファン７を用いることにより、遮光体１どうしが静電気によって反発することがなく容易に回収することができ、回収後のレンズユニットへの配置も容易となる。
【符号の説明】
【００１６】
１        遮光体
２        開口部
２１      内面
３        レンズ
４        遮光フィルム
５        補助シート
６        バイト
７        静電気除去ファン
８        吸引機
【要約】      （修正有）【課題】鮮明な画像で撮影することができる、レンズユニットに用いる遮光体およびその製造方法を提供する。【解決手段】レンズユニットに用いる遮光体１の中央に開口部２を有し、開口部２の内面２１に反射光を防止するテーパーをつける。また、加工精度の向上のために、遮光フィルムの背面に補助シートを接着し、補助シートに接着した遮光フィルムを切削加工して遮光体１を形成した後、補助シートを湾曲させて遮光体１を補助シートから離脱させ、遮光体１を製造する。【選択図】図３【図１】
0005940717.tif 000002
【図２】
0005940717.tif 000003
【図３】
0005940717.tif 000004
【図４】
0005940717.tif 000005
【図５】
0005940717.tif 000006